(57)【要約】【課題】メガネレンズ表裏面に、高速で振動を与え、容易にクリーニングするメガネレンズクリーナー。【解決手段】本体１が左右に分割されたそれぞれの先端に、外周を鋸形状３に形成したクリーニングパット４を設け、該クリーニングパット４内部には凹凸形状を形成した柔軟材６を介在させ、つまみ７を設けた接着シート８で本体１に接合し、クリーニングパット４近傍の本体１に振動体２ａ，２ｂを設け、キャップ９により本体１に固定し、該振動体２ａ，２ｂは、電池１０を電源とし、電池キャップ１２を取り付けるとスイッチング回路が形成され、スイッチ１１のＯＮ−ＯＦＦで動作するように構成されている。【選択図】図４
2005266731.tif 000002
【特許請求の範囲】
【請求項１】
メガネのレンズの汚れをクリーニンするメガネクリーナーにあって、小電力で振動（例えば、振動モーター等による）を発生させる振動体を、本体に取り付けたクリーニングパット近傍に設け、この振動がクリーニングパット全体に高速で繰り返し伝播するように構成したことを特徴とするメガネレンズクリーナー。
【請求項２】
クリーニングパット全体に及ぶ振動が偏心回転振動をするように構成したことを特徴とする請求項１記載のメガネレンズクリーナー。
【請求項３】
クリーニングパットの外周の一部、又は、全周を鋸形状に形成すると共に、該クリーニングパットと本体の間に介在する柔軟材（例えば、ウレタン等）の一部、又は、全面に凹凸形状を設け構成したことを特徴とする請求項１及び２記載のメガネレンズクリーナー。
【請求項４】
クリーニングパットは、メガネのレンズ表裏面を同時にクリーニングできる構造に構成したことを特徴とする請求項１〜３記載のメガネレンズクリーナー。
【発明の詳細な説明】
【発明の詳細な説明】
【技術分野】
【０００１】本発明は、メガネレンズクリーナーに関するものである。
【背景技術】
【０００２】現在市販されているメガネレンズクリーナーは、メガネレンズを拭くメガネレンズ用クロスが主体で該クロスと併用して使用するクリーニング液がある。このほかメガネレンズのクリーニング用として超音波洗浄器があるが、高価であり、現状は眼鏡店で営業用としての使用が主体となっている。
【発明が解決しようとする課題】
【０００３】しかし、前記したメガネレンズ用クロス等では、汗、脂等が付着した汚れは拭いただけでは落ちにくく、特にレンズとフレーム近傍ではクリーニング液を併用しても、汚れが堆積しやすく放置しておくと、レンズの黄ばみ、フレームの損傷等が起こりやすく、最悪の場合、目に細菌感染を発症する場合もあり、本来であれば定期的に超音波洗滌等を行うことが好ましいが、前記の通り超音波洗滌器は高価であり、また常時携行は出来ない等の問題がある。
【課題を解決する手段】
【０００４】本発明は、クリーニングパット全体に及ぶ振動が偏心回転振動であることを特徴としており、これによりレンズクリーニング時に、クリーニングパットを積極的に動かさずとも、クリーニングパット自体が高速で振幅を繰り返すために、実際には同じ場所を何度も拭いたのと同じ効果が簡単に得られるように構成している。、
【０００５】レンズとフレームの嵌合したコーナー部分は、外周を鋸形状に形成したクリーニングパットの形状効果と偏心回転振動により汚れの除去が容易に出来るように構成している。
【０００６】メガネのレンズの表裏両面にクリーニングパットを接触させ、クリーニングすることにより、メガネのレンズの表裏両面が同時にクリーニング出来、又クリーニングパット本体の間に介在する柔軟材（例えばウレタン等）の凹凸形状により、クリーニングパットとメガネのレンズ接触面に粗密状態が出来るため汚れが、クリーニングパットに吸着し、クリーニングが容易に出来るように構成している。
【０００７】常時携行を可能にするため、メガネレンズクリーナーの大きさは着衣のポケット、バック等に収納出来るサイズで構成している。
【０００８】クリーニングパットは、接着シートで本体に接合されており、交換の際は、接着シートに設けたつまみで容易に取り外しができるように構成している。
【発明の実施と形態】
【０００９】本発明の、構成を図１〜図５によって説明する。
本体１が左右に分割されたそれぞれの先端に、クリーニンパット４を設け、該クリーニングパット４近傍の本体１に振動体２ａ、２ｂ設け、キャップ９により、該振動体２ａ，２ｂはそれぞれ本体１に固定されている。外周の一部、又前記クリーニングパット４はは全周を鋸形状３を形成し、内部に凹凸形状５を形成した柔軟材６を設け、つまみ７を設けた接着シート８によりクリーニングパット４と本体１に接合されている。
又、振動体２ａ，２ｂは、本体１に取り付けた電池１０を動作用電源とし、電池キャップ１２を取り付けるとスイッチング回路が形成され、電源スイッチ１１によりＯＮ−ＯＦＦにより動作するように構成されている。
【実施例】
【００１０】本発明の、実施例を図６〜図８によって説明する。
本体１に取り付けられた電源スイッチ１１をＯＮにし、本体１とクリーニングパット４近傍に取り付けた振動体２ａ，２ｂを起振させ、クリーニングパット４の間に、メガネのレンズ１２を入れ、分割された本体１の中間付近を各クリーニングパット４がメガネのレンズ１２に接触するように押さえ、左右、上下、斜め各方向を自由にクリーニングする。
又、メガネのレンズ１２とフレーム１３の嵌合したコーナー部分のクリーニングは、クリーニングパット４の外周鋸形状３を、接触させクリーニングする。
【発明の効果】
【００１０】本発明は、以上説明したような形態で実施され、以下に記載されるような効果を奏する。
【００１１】クリーニングパット全体が高速で偏心回転振動を繰り返すため、実際には同じ場所を何度も拭いたのと同じ効果が簡単に得られ、クリーニング効果が飛躍的に高まる。
同時に、振動が汚れを浮かすことにもつながり、又クリーニングパット内部の柔軟材の凹凸形状による粗密効果と併せ、相乗効果が生まれレンズ面のクリーニングが効果的に出来る
【００１２】特に、メガネフレームとレンズの嵌合したコーナーの汚れは、クリーニングパット外周の鋸状の形状によって容易にクリーニング出来る。
【００１３】クリーニングパットは、接着シートで本体に接合されているため、交換の際は接着シートに設けたつまみで容易に取り外しが出来る。
【００１４】メガネレンズクリーナーは、常時携行を可能にするため、着衣のポケット、バック等に収納出来るサイズで構成してある。
【図面の簡単な説明】
【図１】本発明の、メガネレンズクリーナーを示す正面図である。
【図２】本発明の、メガネレンズクリーナーリ示す側面図である。
【図３】本発明の、メガネレンズクリーナーの構造を示す正面縦断面図である。
【図４】本発明の、メガネレンズクリーナーの構造を示す側面縦断面図である。
【図５】本発明の、メガネレンズクリーナークリーニングパットの詳細を示す側面部分断面図である。
【図６】本発明の、メガネレンズクリーナーの実施例を示す側面図である。
【図７】本発明の、メガネレンズクリーナーの実施例を示す側面図である。
【図８】本発明の、メガネレンズクリーナーの実施例を示す正面図である。
【符号の説明】
１        ：本体。
２ａ、２ｂ：振動体。
３        ：鋸形状。
４        ：クリーニングパット。
５        ：凹凸形状。
６        ：柔軟材。
７        ：つまみ。
８        ：接着シート。
９        ：キャップ。
１０        ：電池。
１１        ：電源スイッチ。
１２        ：電池キャップ。
１３        ：レンズ。
１４        ：フレーム。
【図１】
2005266731.tif 000003
【図２】
2005266731.tif 000004
【図３】
2005266731.tif 000005
【図４】
2005266731.tif 000006
【図５】
2005266731.tif 000007
【図６】
2005266731.tif 000008
【図７】
2005266731.tif 000009
【図８】
2005266731.tif 000010